(57)【要約】 【課題】種々の太さの電線に対してそれぞれを適切な力で保持して、種々の太さの電線を安定的に曲げながら、そのための調整を不要にするとともに構造を簡素化し、作業現場で使い易くする。【解決手段】両ハンドル１、２が離れている開状態で導入用ガイド４及び曲げ用ガイド５に沿って導入された電線Ｋが両ハンドル１、２を近接させる曲げ動作に伴って曲げ用シュー６に沿って曲げられる電線ベンダーである。導入用ガイド４を電線導入方向に長い板状体にて形成する。導入用ガイド４の長さ方向の中間位置において導入用ガイド４を一方のハンドル１に回動自在に枢支する。導入用ガイド４の回動によって導入用ガイド４の電線導入方向の後端部の電線押さえ部７と曲げ用シュー６との間の電線保持間隔Ｌを変更可能にしている。【選択図】図１
2008073758.tif 000002
【特許請求の範囲】
【請求項１】
一対のハンドルを枢軸にて開閉自在に枢支連結し、一方のハンドルに導入用ガイドを、他方のハンドルに曲げ用ガイドを設け、枢軸に導入用ガイド及び曲げ用ガイドと対向する略円筒形の曲げ用シューを形成し、両ハンドルが離れている開状態で導入用ガイド及び曲げ用ガイドに沿って導入された電線が両ハンドルを近接させる曲げ動作に伴って曲げ用シューに沿って曲げられる電線ベンダーであって、
導入用ガイドを電線導入方向に長い板状体にて形成し、導入用ガイドの長さ方向の中間位置において導入用ガイドを一方のハンドルに回動自在に枢支して、導入用ガイドの回動によって導入用ガイドの電線導入方向の後端部の電線押さえ部と曲げ用シューとの間の電線保持間隔を変更可能にしていることを特徴とする電線ベンダー。
【請求項２】
曲げ用ガイドは外形が鼓状の円筒形に形成されて支軸に回転自在に保持されていることを特徴とする請求項１記載の電線ベンダー。
【請求項３】
他方のハンドルに揺動板をピンにて揺動自在に枢支し、揺動板に略筒円形に形成した上記曲げ用ガイドを取付け、ピンに対して曲げ用ガイドとは反対側の揺動板部分に押し引き部を形成し、押し引き部を押し引きして揺動板を揺動させて曲げ用シューに対する曲げ用ガイドの間隔を変更してその変更位置を固定するねじ送り手段を設け、ねじ送り手段にはねじ送り手段を手動で操作する回転摘みを備えていることを特徴とする請求項１記載の電線ベンダー。
【請求項４】
押し引き部としての受部を揺動板に突出して設け、受部に対向させて軸受を他方のハンドルに設け、軸受に遊挿したねじ棒の先端部を受部に固定し、軸受より外方に突出した突出ねじ棒部分にナットである回転摘みを螺合し、受部と軸受との間においてねじ棒にコイルスプリングを圧縮状態にして挿通していることを特徴とする請求項３記載の電線ベンダー。
【発明の詳細な説明】
【技術分野】
【０００１】
本発明は、電線ベンダーに関し、詳しくは、種々の太さの電線に対してそれぞれを適切な力で保持して、種々の太さの電線を安定的に曲げながら、そのための調整を不要にするとともに構造を簡素化し、作業現場で使い易くしようとする技術に係るものである。
【背景技術】
【０００２】
従来、図５（ａ）（ｂ）に示すように、一対のハンドル１、２を枢軸３にて開閉自在に枢支連結し、一方のハンドル１に導入用ガイド４’を、他方のハンドル２に曲げ用ガイド５’を設け、枢軸３に導入用ガイド４’及び曲げ用ガイド５’と対向する略円筒形の曲げ用シュー６を形成し、両ハンドル１、２が離れている開状態で導入用ガイド４’及び曲げ用ガイド５’に沿って導入された電線Ｋが両ハンドル１、２を近接させる曲げ動作に伴って曲げ用シュー６に沿って曲げられる電線ベンダーＡ’においては、電線Ｋの太さの変更に応じて、六角レンチを使ってセットボルト２２’を緩め、曲げ用シュー６に対して少なくとも導入用ガイド４’の位置を変更するのであり、その後、セットボルト２２’を締めて変更した位置を固定するものである。（例えば、特許文献１参照）
上記特許文献１に示される電線ベンダーＡ’においては、電線の太さの変更に応じるためにセットボルト２２’を緩め、導入用ガイド４’の位置を変更し、その後、セットボルト２２’を締める作業を行なうのであり、現場作業が繁雑となり、それでいて、曲げ作業中にセットボルト２２’が緩む虞れがあり、使い難いという問題があった。
更に、導入用ガイド４’及び曲げ用ガイド５’のスライド位置を変更させる凹溝及び凸条を加工しなければならず、構造が複雑となり、凹溝及び凸条の刻設にはフライス加工等が必要となり、加工工数を要する等という問題があった。
【特許文献１】特開２００６−１３０５５０号公報
【発明の開示】
【発明が解決しようとする課題】
【０００３】
本発明は上記の従来の問題に鑑みて発明したものであって、種々の太さの電線に対してそれぞれを適切な力で保持して、種々の太さの電線を安定的に曲げながら、そのための調整を不要にするとともに構造を簡素化し、作業現場で使い易い電線ベンダーを提供することを課題とするものである。
【課題を解決するための手段】
【０００４】
請求項１に係る発明においては、一対のハンドル１、２を枢軸３にて開閉自在に枢支連結し、一方のハンドル１に導入用ガイド４を、他方のハンドル２に曲げ用ガイド５を設け、枢軸３に導入用ガイド４及び曲げ用ガイド５と対向する略円筒形の曲げ用シュー６を形成し、両ハンドル１、２が離れている開状態で導入用ガイド４及び曲げ用ガイド５に沿って導入された電線Ｋが両ハンドル１、２を近接させる曲げ動作に伴って曲げ用シュー６に沿って曲げられる電線ベンダーであって、導入用ガイド４を電線導入方向に長い板状体にて形成し、導入用ガイド４の長さ方向の中間位置において導入用ガイド４を一方のハンドル１に回動自在に枢支して、導入用ガイド４の回動によって導入用ガイド４の電線導入方向の後端部の電線押さえ部７と曲げ用シュー６との間の電線保持間隔Ｌを変更可能にしていることを特徴とするものである。
このような構成によれば、両ハンドル１、２が離れている開状態で、導入用ガイド４及び曲げ用ガイド５に沿って電線Ｋを導入した後、両ハンドル１、２を近づける曲げ動作によって、電線Ｋは曲げ用シュー６にて受けられた状態で曲げ用ガイド５が枢軸３の回りに回転して電線Ｋを曲げようとするのであるが、電線導入方向に長い導入用ガイド４は長さ方向の中間位置において一方のハンドル１に枢支されているから、電線Ｋを曲げる力に伴う反力（電線Ｋの曲げ剛性に起因する反力）によって、導入用ガイド４の始端部４ａが電線Ｋによって跳ね上げられ、導入用ガイド４の後端部である電線押さえ部７が曲げ用シュー６側に回動され、電線押さえ部７を電線Ｋの断面積に基づく曲げ剛性に起因する反力によって、電線Ｋに相当の力で押圧するのであり、導入用ガイド４の電線押さえ部７と曲げ用シュー６にて電線Ｋを相当の力で強く保持することができるのである。要するに、種々の太さの電線Ｋを電線Ｋの断面積に応じた曲げ剛性に起因して導入用ガイド４を回動させて、導入用ガイド４と曲げ用シュー６とで電線Ｋを挟持するのであり、調整作業をおこなわなくてもよいものである。
その後、両ハンドル１、２を近づける一層の曲げ動作によって、導入用ガイド４と曲げ用シュー６にて強く保持した電線Ｋに対して曲げ用ガイド５を曲げ用シュー６の回りに回動させて電線Ｋを曲げ用シュー６の回りに曲げるのである。この場合、曲げ用ガイド５と曲げ用シュー６との距離は電線Ｋの太さに応じて調整しておくことが好ましいが、請求項１に係る発明においては、必ずしも、必要ではない。
請求項２に係る発明においては、請求項１の構成に加えて、曲げ用ガイド５は外形が鼓状の円筒形に形成されて支軸１６に回転自在に保持されていることを特徴とするものである。
このような構成によれば、請求項１の作用に加えて、導入用ガイド４と曲げ用シュー６にて保持した電線Ｋに対して、支軸１６の回りに回動する鼓状の円筒形の曲げ用ガイド５が転動して電線Ｋの外皮を傷つけることなく曲げることができる。曲げ用ガイド５は、例えば、硬質合成樹脂［例えば、ジュラコン（商標）］製のものが好ましく、塩化ビニルやポリエチレン製の電線Ｋの外皮を、一層、傷つけなくてよい。
請求項３に係る発明においては、請求項１の構成に加えて、他方のハンドル２に揺動板８をピン９にて揺動自在に枢支し、揺動板８に略筒円形に形成した上記曲げ用ガイド５を取付け、ピン９に対して曲げ用ガイド５とは反対側の揺動板部分に押し引き部８ａを形成し、押し引き部８ａを押し引きして揺動板８を揺動させて曲げ用シュー６に対する曲げ用ガイド５の間隔を変更してその変更位置を固定するねじ送り手段Ｎを設け、ねじ送り手段Ｎにはねじ送り手段Ｎを手動で操作する回転摘み１４を備えていることを特徴とするものである。
【０００５】
このような構成によれば、請求項１の作用に加えて、揺動板８を押し引きして揺動させて曲げ用ガイド５の位置を調整するねじ送り手段Ｎには、ねじ送り手段Ｎを手動で操作する回転摘み１４を備えているから、曲げ用ガイド５側において電線Ｋの太さの変更に対応する際に、工具を使用することなく、回転摘み１４を回転操作することで、ねじ送り手段Ｎによって揺動板８を揺動させて曲げ用ガイド５の位置を調整することができる。
請求項４に係る発明においては、請求項３の構成に加えて、押し引き部８ａとしての受部１０を揺動板８に突出して設け、受部１０に対向させて軸受１１を他方のハンドル２に設け、軸受１１に遊挿したねじ棒１２の先端部を受部１０に固定し、軸受１１より外方に突出した突出ねじ棒部分にナットである回転摘み１４を螺合し、受部１０と軸受１１との間においてねじ棒１２にコイルスプリング１５を圧縮状態にして挿通していることを特徴とするものである。
【０００６】
このような構成によれば、請求項３の作用に加えて、他方のハンドル２に設けた軸受１１と揺動板８の受部１０との間で、軸受１１に遊挿されて受部１０に固定されているねじ棒１２にコイルスプリング１５を圧縮して挿通しているから、軸受１１にて受けられて弾発されたコイルスプリング１５によって受部１０を押圧して受部１０を軸受１１から引き離す方向に揺動板８を揺動させ、軸受１１より外方に突出した突出ねじ棒部分に螺合している回転摘み１４を軸受１１の外面に弾接させるのであり、このような設定位置にある回転摘み１４を回転させることでねじ棒１２を進退させることができ、揺動板８を揺動させて曲げ用ガイド５の位置を変更すること、及び、変更した位置を保持することを回転摘み１４の回転操作のみにておこなうことができる。
【発明の効果】
【０００７】
要するに本発明は、種々の太さの電線を電線の太さに起因する電線の曲げ剛性を利用して、電線の太さに相当する適切な力で保持することができ、そのために工具を使用することもなく、調整作業を要することもなく、それでいて、構造を簡素化でき、作業現場で使い易いものである。
【発明を実施するための最良の形態】
【０００８】
以下、本発明を添付図面に示す実施の形態に基づいて説明する。図１は本発明の実施の形態を示す全体斜視図である。
【０００９】
電線ベンダーＡは、一対のハンドル１、２を枢軸３にて開閉自在に枢支連結し、一方のハンドル１に導入用ガイド４を設け、他方のハンドル２に曲げ用ガイド５を設け、枢軸３に導入用ガイド４及び曲げ用ガイド５と対向する略円筒形の曲げ用シュー６を形成し、両ハンドル１、２が略１８０°程度に開かれるような開状態で、導入用ガイド４及び曲げ用ガイド５に沿って導入された電線Ｋが両ハンドル１、２を近接させる曲げ動作に伴って曲げ用シュー６に沿って曲げられるものである。この場合、導入用ガイド４を設けた一方のハンドル１を例えば左手で持って固定側とし、曲げ用ガイド５を設けた他方のハンドル２を例えば右手で持って曲げ動作をおこなう可動側とする。手動で曲げられる電線Ｋの太さは、銅材の芯線の総断面積が、例えば、２２ＳＱ〜１５０ＳＱ（スケアセンチ）程度のものであるが、その以上に太いものでも、細いものでもよい。
【００１０】
このような電線ベンダーＡにおいて本発明は、種々の太さの電線Ｋに対してそれぞれを適切な力で保持して、種々の太さの電線Ｋを安定的に曲げながら、そのための調整を不要にするとともに構造を簡素化し、作業現場で使い易くしようとするものである。以下、詳述する。
【００１１】
図１、図３及び図４に示すように、固定側のハンドル１に固定板１７を取り付け、可動側のハンドル２に可動板１８をビス止めして取り付け、固定板１７に可動板１８を枢軸３にて枢支連結して両ハンドル１、２を開閉自在に連結している。具体的には、図３（ｂ）に示すように、枢軸３に形成した細径部３ａを固定板１７及び可動板１８の孔に挿通し、枢軸３の太径部を固定板１７に溶接し、細径部３ａに形成した雄ねじ部に平ワッシャ１９及びスプリングワッシャ２０を介してナット２１をねじ込むことで、固定板１７に対して可動板１８を軽く回動できるようにしている。
【００１２】
固定板１７に固定された枢軸３には、例えば、硬質合成樹脂［例えば、ジュラコン（商標）］製で外形が鼓状で円筒形の曲げ用シュー６を挿通し、ワッシャを介してビス２８にて押さえて曲げ用シュー６を枢軸３に回転自在に保持している。
【００１３】
固定板１７には、断面Ｌ字に形成した導入用ガイド４をその取付片２３において軸２４にて回動自在に枢支連結している。具体的には、図４（ａ）に示すように、軸２４はボルトを使用して固定板１７のねじ孔２５にねじ込み固定し、取付片２３の孔２６が軸２４に遊挿されて導入用ガイド４を固定板１７に回動自在に保持している。導入用ガイド４の主体部分は縦板状に形成されて曲げ用シュー６に対向している。導入用ガイド４の電線導入方向の後端部は電線押さえ部７となっていて、導入用ガイド４が曲げ用シュー６側に回動したとき、電線押さえ部７と曲げ用シュー６にて電線Ｋを押さえることができるようにしている。固定側のハンドル１に固定板１７を固定しているビス３２がストッパーとなって揺動板８の戻り側の位置を規制している。
【００１４】
このように、導入用ガイド４を電線導入方向に長い板状体にて形成し、導入用ガイド４の長さ方向の中間位置において導入用ガイド４を固定側のハンドル１に回動自在に枢支し、導入用ガイド４の回動によって導入用ガイド４の電線導入方向の後端部の電線押さえ部７と曲げ用シュー６との間の電線保持間隔Ｌを変更可能にしている。
【００１５】
可動側となるハンドル２に固定している可動板１８には揺動板８をピン９にて揺動自在に枢支している。具体的には、図４（ａ）に示すように、可動板１８にネジ孔２７を形成し、ボルトを使用するピン９に揺動板８の通孔を挿通してピン９をネジ孔２７にねじ込み、ワッシャにて押さえて揺動板８を可動板１８に揺動（回動）自在に保持している。
【００１６】
揺動板８において曲げ用シュー６側の端部に曲げ用ガイド５を設けている。具体的には、図４（ｃ）に示すように、揺動板８の孔に支軸１６の小径部１６ａを挿入して小径部１６ａの下端部と大径部の下端部において支軸１６を揺動板８に溶接し、支軸１６に、例えば、硬質合成樹脂［例えば、ジュラコン（商標）］製で外形を鼓状に形成した円筒状の曲げ用ガイド５を挿通し、ビス３０を支軸１６にねじ込み、ワッシャを介して曲げ用ガイド５を押さえて支軸１６の回りに回転自在に保持している。
【００１７】
ピン９に対して曲げ用ガイド５とは反対側の揺動板部分に受部１０を突出して押し引き部８ａとしている。突部１０は皿ビス３１にて揺動板８に固定している。受部１０に対向させて軸受１１を可動板１８より延出して設けている。軸受１１の通孔にねじ棒１２を遊挿してねじ棒１２の先端部を受部１０にねじ込んで固定している。軸受１１より外方に突出している突出ねじ棒部分にナットである回転摘み１４を螺合している。受部１０と軸受１１との間においてねじ棒１２にコイルスプリング１５を圧縮状態にして挿通している。
【００１８】
このように、軸受１１にて受けられて弾発されたコイルスプリング１５によって受部１０を押圧して受部１０を軸受１１から引き離す方向に揺動板８を揺動させ、軸受１１より外方に突出した突出ねじ棒部分に螺合している回転摘み１４を軸受１１の外面に弾接させているのである。このようにして回転摘み１４を回転させることでねじ棒１２を進退させ、揺動板８を揺動させて曲げ用ガイド５の位置を変更するのであり、その変更した位置を保持するのである。このように、揺動板８をねじ送りにて揺動させる構成をねじ送り手段Ｎと総称する。
このような構成によれば、導入用ガイド４を設けたハンドル１を左手で持って固定側とし、曲げ用ガイド５を設けたハンドル２を右手で持って可動側とし、両ハンドル１、２が離れている開状態で、導入用ガイド４及び曲げ用ガイド５に沿って電線Ｋを導入した後［図２（ａ）参照］、  右手で持った可動側のハンドル２を左手で持った固定側のハンドル１に近づける曲げ動作をおこなうのであり、このような曲げ動作において、長さ方向の中間位置において軸２４にて固定側のハンドル１に回転自在に枢支されている導入用ガイド４は電線Ｋの断面積に基づく曲げ剛性に起因する反力によって回動され、導入用ガイド４の始端部４ａが電線Ｋによって跳ね上げられ、導入用ガイド４の後端部である電線押さえ部７が曲げ用シュー６側に回動して、電線Ｋに相当の力で押圧されるのである［図２（ｂ）参照］。  このようにして、導入用ガイド４の電線押さえ部７と曲げ用シュー６にて電線Ｋをその太さに応じた相当の力で強く保持することができるのである。したがって、種々の太さの電線Ｋを電線Ｋの断面積に応じた曲げ剛性に起因して導入用ガイド４と曲げ用シュー６とで、調整作業をおこなわなくても、相当の強さで保持することができるのである。
その後、可動側のハンドル２を固定側のハンドル１に近づける一層の曲げ動作によって、導入用ガイド４と曲げ用シュー６にて保持された電線Ｋに対して曲げ用ガイド５を曲げ用シュー６の回りに回動させて電線Ｋを曲げ用シュー６の回りに曲げるのである［図２（ｃ）参照］。
この場合、曲げ用ガイド５は外形が鼓状の円筒形に形成されて支軸１６に回転自在に保持されていて、導入用ガイド４と曲げ用シュー６にて強く保持された電線Ｋに対して、支軸１６の回りに回動する鼓状の円筒形の曲げ用ガイド５が転動して電線Ｋの外皮を傷つけることなく曲げることができるのである。
【００１９】
ところで、揺動板８を押し引きして揺動させて曲げ用ガイド５の位置を調整するねじ送り手段Ｎには、ねじ送り手段Ｎを手動で操作する回転摘み１４を備えていて、電線Ｋの太さの変更に対応する際に、工具を使用することなく、回転摘み１４を回転操作することで、ねじ送り手段Ｎによって揺動板８を揺動させて曲げ用ガイド５の位置を調整することができるのである。
【００２０】
この場合、可動板１８に形成した軸受１１と揺動板８の受部１０との間で、軸受１１に遊挿されて受部１０に固定されているねじ棒１２にコイルスプリング１５を圧縮して挿通していて、軸受１１にて受けられて弾発されたコイルスプリング１５によって受部１０を押圧して受部１０を軸受１１から引き離す方向に揺動板８を揺動させ、軸受１１より外方に突出した突出ねじ棒部分に螺合している回転摘み１４を軸受１１の外面に弾接させるのであり、このように設定位置にある回転摘み１４を回転させることでねじ棒１２を進退させて、揺動板８を揺動させて曲げ用ガイド５の位置を変更するのであり、その変更した位置を保持するのである。このように、曲げ用ガイド５の位置変更を回転摘み１４の回転操作のみにておこなうことができるのである。
【００２１】
尚、本発明の実施の形態は、本発明の精神を逸脱しない範囲内で種々変更できるものである。
【図面の簡単な説明】
【００２２】
【図１】本発明の実施の形態を示す全体斜視図である。
【図２】曲げ動作を示し、（ａ）は電線を導入用ガイド及び曲げ用ガイドに沿って導入した状態を示す部分平面図、（ｂ）は導入用ガイドが曲げ用シューに向けて回動して電線を保持している状態を示す部分平面図、（ｃ）は電線を曲げ終えた状態を示す部分平面図である。
【図３】（ａ）は開状態の部分拡大平面図、（ｂ）は固定板に対して可動板を回動自在とする部分の拡大断面図である。
【図４】（ａ）は図３（ａ）の断面図、（ｂ）は導入用ガイドの側面図、（ｃ）は揺動板に支軸を固定している部分の断面図である。
【図５】従来例を示し、（ａ）は開状態の斜視図、（ｂ）は曲げ動作を示す斜視図である。
【符号の説明】
【００２３】
１  一方のハンドル
２  他方のハンドル
３  枢軸
４  導入用ガイド
５  曲げ用ガイド
６  曲げ用シュー
７  電線押さえ部
【図１】
2008073758.tif 000003
【図２】
2008073758.tif 000004
【図３】
2008073758.tif 000005
【図４】
2008073758.tif 000006
【図５】
2008073758.tif 000007